(57)【要約】【課題】  ローバンド受信時とハイバンド受信時との何れでもピーキング回路を構成してそれぞれのバンドでの利得偏差を無くす。【解決手段】  第１及び第２のスイッチダイオード４、７の各一端にバイアス電圧を印加し、エミッタが接地されると共にコレクタが抵抗１４を介して電源電圧にプルアップされ、第１及び第２のスイッチダイオード４、７のオン／オフを互いに逆に切り替える第１のトランジスタ１３を設け、第１及び第２のスイッチダイオード４、７の各他端を第１のインダクタンス素子１５を介して第１のトランジスタ１３のコレクタに接続し、コレクタに第２のインダクタンス素子１６の一端を接続し、第２のインダクタンス素子１６の他端を高周波的に接地した。【選択図】        図１
0003106152.tif 000002
【実用新案登録請求の範囲】
【請求項１】
ローバンド受信部と、ハイバンド受信部と、前記ローバンド受信部から出力されるローバンドのテレビジョン信号又は前記ハイバンド受信部から出力されるハイバンドのテレビジョン信号を周波数変換するミキサと、前記ローバンド受信部と前記ミキサとを相互に結合する第１のスイッチダイオードと、前記ハイバンド受信部と前記ミキサとを相互に結合する第２のスイッチダイオードとを備え、前記第１及び第２のスイッチダイオードの各一端にバイアス電圧を印加し、エミッタが接地されると共にコレクタが抵抗を介して電源にプルアップされ、前記第１及び第２のスイッチダイオードのオン／オフを互いに逆に切り替える第１のトランジスタを設け、前記第１及び第２のスイッチダイオードの各他端を第１のインダクタンス素子を介して前記第１のトランジスタのコレクタに接続し、コレクタに第２のインダクタンス素子の一端を接続し、前記第２のインダクタンス素子の他端を高周波的に接地したことを特徴とするテレビジョンチューナ。
【請求項２】
前記ローバンド受信部にはローバンドのテレビジョン信号を増幅するローバンド増幅器を設け、前記ハイバンド受信部にはハイバンドのテレビジョン信号を増幅するハイバンド増幅器を設け、前記第１のトランジスタによって前記ローバンド増幅器と前記ハイバンド増幅器との動作を切り替えたことを特徴とする請求項１に記載のテレビジョンチューナ。
【請求項３】
エミッタが接地されると共に、コレクタが第１の抵抗を介して電源電圧にプルアップされた第２のトランジスタを設け、前記第２のトランジスタのベースと前記ローバンド増幅器の入力端との間に第２の抵抗を接続すると共に、前記第２のトランジスタのコレクタを前記ハイバンド増幅器の入力端に接続し、前記ハイバンド増幅器の入力端を第３の抵抗を介して接地し、前記第２のインダクタンス素子の他端を第４の抵抗を介して前記ローバンド増幅器の入力端に接続したことを特徴とする請求項２に記載のテレビジョンチューナ。
【考案の詳細な説明】
【技術分野】
【０００１】
本考案は、テレビジョンチューナに関する。
【背景技術】
【０００２】
図２を参照して従来のテレビジョンチューナを説明する。図２において、高周波増幅器５１と混合器５２との間には、段間複同調回路（以下、複同調回路という）５３が設けられている。一次同調回路５３ａは、一端同士で直列に接続されたハイバンド用同調コイル５４及びローバンド用同調コイル５５と、この直列に接続されたハイバンド用同調コイル５４及びローバンド用同調コイル５５に並列に接続されたバラクタダイオード５６とを有している。バラクタダイオード５６は、そのアノードが接地され、カソードは直流阻止コンデンサ５７を介してハイバンド用同調コイル５４の他端に接続されている。
同様に、二次同調回路５３ｂも、一端同士で直列に接続されたハイバンド用同調コイル５８及びローバンド用同調コイル５９と、この直列に接続されたハイバンド用同調コイル５８及びローバンド用同調コイル５９に並列に接続されたバラクタダイオード６０を有している。バラクタダイオード６０は、そのアノードが接地され、カソードは直流阻止コンデンサ６１を介してハイバンド用同調コイル５８の他端に接続されている。
そして、ローバンド用同調コイル５５と５９の他端同士が結合コイル６２の一端に接続され、この結合コイル６２の他端が直流阻止コンデンサ６３を介して接地されている。
【０００３】
また、一次同調回路５３ａにおけるハイバンド用同調コイル５４とローバンド用同調コイル５５との接続点は、スイッチダイオード６４のカソードに接続され、そのアノードは直流阻止コンデンサ６５で接地されている。同様に、二次同調回路５３ｂにおけるハイバンド用同調コイル５８とローバンド用同調コイル５９との接続点は、スイッチダイオード６６のカソードに接続され、そのアノードは直流阻止コンデンサ６７で接地されている。
【０００４】
そして、スイッチダイオード６４のアノードが抵抗６８を介してハイバンド切替端子６９に接続され、同様に、スイッチダイオード６６のアノードが抵抗７０を介してハイバンド切替端子６９に接続されている。
また、結合コイル６２と直流阻止コンデンサ６３との接続点が抵抗７１を介してローバンド切替端子７２に接続されている。さらに、バラクタダイオード５６のカソードには同調電圧端子７３からの同調電圧が抵抗７４を介して印加され、同様に、バラクタダイオード６０のカソードにも同調電圧端子７３からの同調電圧が抵抗７５を介して印加されるようになっている。
【０００５】
複同調回路５３と混合器５２との間には、ピーキング回路７６が設けられている。ピーキング回路７６は、複同調回路５３とは直流阻止コンデンサ７７によって直流阻止されるとともに、混合器５２とは直流阻止コンデンサ７８によって直流阻止されている。
このピーキング回路７６は、ピーキングコイル７９とスイッチダイオード８０と直流阻止コンデンサ８１とが直列接続されて構成されており、ピーキングコイル７９が直流阻止コンデンサ７７、７８に接続され、直流阻止コンデンサ８１の一端が接地されている。そして、スイッチダイオード８０のカソードが抵抗８２を介してローバンド切替端子７２に接続され、アノードが抵抗８３を介してハイバンド切替端子６９に接続されている。ピーキングコイル７９のインダクタンスと混合器５２が有する入力容量８４とが協働してハイバンドのテレビジョン信号のうち低域のテレビジョン信号の周波数に共振するように設定されている。
【０００６】
以上の構成において、ＶＨＦ帯のハイバンドのテレビジョン信号を受信するときは、ハイバンド切替端子６９に印加した切替電圧によってスイッチダイオード６４、６６を共に導通させて複同調回路５３をハイバンドのテレビジョン信号を受信する状態にする。また、ハイバンド切替端子６９に印加した切替電圧はスイッチダイオード８０のアノードにも印加されるので、スイッチダイオード８０も導通状態となるので、ピーキングコイル７９と混合器５２が有する入力容量８４とにより、並列共振回路が構成される。
そして、ピーキングコイル７９と混合器５２が有する入力容量８４とで構成される並列共振回路によって、ハイバンドのテレビジョン信号の低域の利得を上げている。
そして、同調電圧端子７３に印加した同調電圧によって、複同調回路５３を所望の周波数に同調させるようにしている（例えば特許文献１参照。）。
【０００７】
【特許文献１】特開平１１−２７５４７８号公報（図２）
【考案の開示】
【考案が解決しようとする課題】
【０００８】
上記のテレビジョンチューナでは、段間同調回路はバンド切替型であるので構成が複雑である。また、ローバンド受信時にはピーキング回路が構成できないのでローバンド内の利得の偏差が解決できないという問題がある。
【０００９】
本考案は、ローバンド受信時とハイバンド受信時との何れでもピーキング回路を構成してそれぞれのバンドでの利得偏差を無くすことを目的とする。
【課題を解決するための手段】
【００１０】
上記課題を解決するため、ローバンド受信部と、ハイバンド受信部と、前記ローバンド受信部から出力されるローバンドのテレビジョン信号又は前記ハイバンド受信部から出力されるハイバンドのテレビジョン信号を周波数変換するミキサと、前記ローバンド受信部と前記ミキサとを相互に結合する第１のスイッチダイオードと、前記ハイバンド受信部と前記ミキサとを相互に結合する第２のスイッチダイオードとを備え、前記第１及び第２のスイッチダイオードの各一端にバイアス電圧を印加し、エミッタが接地されると共にコレクタが抵抗を介して電源にプルアップされ、前記第１及び第２のスイッチダイオードのオン／オフを互いに逆に切り替える第１のトランジスタを設け、前記第１及び第２のスイッチダイオードの各他端を第１のインダクタンス素子を介して前記第１のトランジスタのコレクタに接続し、コレクタに第２のインダクタンス素子の一端を接続し、前記第２のインダクタンス素子の他端を高周波的に接地した。
【００１１】
また、前記ローバンド受信部にはローバンドのテレビジョン信号を増幅するローバンド増幅器を設け、前記ハイバンド受信部にはハイバンドのテレビジョン信号を増幅するハイバンド増幅器を設け、前記第１のトランジスタによって前記ローバンド増幅器と前記ハイバンド増幅器との動作を切り替えた。
【００１２】
また、エミッタが接地されると共に、コレクタが第１の抵抗を介して電源電圧にプルアップされた第２のトランジスタを設け、前記第２のトランジスタのベースと前記ローバンド増幅器の入力端との間に第２の抵抗を接続すると共に、前記第２のトランジスタのコレクタを前記ハイバンド増幅器の入力端に接続し、前記ハイバンド増幅器の入力端を第３の抵抗を介して接地し、前記第２のインダクタンス素子の他端を第４の抵抗を介して前記ローバンド増幅器の入力端に接続した。
【考案の効果】
【００１３】
請求項１の考案によれば、ローバンド受信部と、ハイバンド受信部と、ローバンド受信部から出力されるローバンドのテレビジョン信号又はハイバンド受信部から出力されるハイバンドのテレビジョン信号を周波数変換するミキサと、ローバンド受信部とミキサとを相互に結合する第１のスイッチダイオードと、ハイバンド受信部とミキサとを相互に結合する第２のスイッチダイオードとを備え、第１及び第２のスイッチダイオードの各一端にバイアス電圧を印加し、エミッタが接地されると共にコレクタが抵抗を介して電源にプルアップされ、第１及び第２のスイッチダイオードのオン／オフを互いに逆に切り替える第１のトランジスタを設け、第１及び第２のスイッチダイオードの各他端を第１のインダクタンス素子を介して第１のトランジスタのコレクタに接続し、コレクタに第２のインダクタンス素子の一端を接続し、第２のインダクタンス素子のを高周波的に接地したので、第１のトランジスタをオフにしてローバンドのテレビジョン信号を受信する時には、第１のスイッチダイオードのアノードと第２のスイッチダイオードのカソードとは第１のインダクタンス素子および第２のインダクタンス素子との直列回路によってシャントされる。この直列回路はミキサ内の入力容量性分と共に並列共振するピーキング回路を構成するので、ローバンドにおける利得偏差を改善できる。また、第１のトランジスタをオンにしてハイバンドのテレビジョン信号を受信する時には、第１のスイッチダイオードのアノードと第２のスイッチダイオードのカソードとは第１のインダクタンス素子のみによってシャントされる。第１のインダクタンス素子はミキサ内の入力容量性分と共に並列共振するピーキング回路を構成するので、ハイバンドの利得偏差を改善できる。
【００１４】
また、請求項２の考案によれば、ローバンド受信部にはローバンドのテレビジョン信号を増幅するローバンド増幅器を設け、ハイバンド受信部にはハイバンドのテレビジョン信号を増幅するハイバンド増幅器を設け、第１のトランジスタによってローバンド増幅器とハイバンド増幅器との動作を切り替えたので、第１及び第２のスイッチダイオードの切替と連動させることができる。
【００１５】
また、請求項３の考案によれば、エミッタが接地されると共に、コレクタが第１の抵抗を介して電源電圧にプルアップされた第２のトランジスタを設け、第２のトランジスタのベースとローバンド増幅器の入力端との間に第２の抵抗を接続すると共に、第２のトランジスタのコレクタをハイバンド増幅器の入力端に接続し、ハイバンド増幅器の入力端を第３の抵抗を介して接地し、第２のインダクタンス素子の他端を第４の抵抗を介してローバンド増幅器の入力端に接続したので、第１のトランジスタによって第２のトランジスタのオン／オフを制御すると共に、ローバンド増幅器とハイバンド増幅器とのバイアス電圧を切り替えて、これらを動作状態又は非動作状態に切り替えられる。
【考案を実施するための最良の形態】
【００１６】
本考案のテレビジョンチューナを図１に従って説明する。入力端１にはローバンド受信部２とハイバンド受信部３とが接続される。ローバンド受信部２は、図示のとおり、入力端１に結合されたローバンド入力同調回路２ａと、その出力側に設けられたローバンド増幅器２ｂと、その出力側に設けられたローバンド段間同調回路２ｃとを有する。そして、ローバンド受信部２は第１のスイッチダイオード４を介してミキサ５に結合される。ミキサ５には発振器６から局部発振信号が供給される。
【００１７】
ローバンド入力同調回路２ａとローバンド段間同調回路２ｃとは共に単同調回路で構成され、ＶＨＦ帯におけるローバンドの任意のチャンネルのテレビジョン信号に同調するためのバラクタダイオード（図示せず）を備えている。よって、ローバンド受信部２によって選択／増幅されたローバンドのチャンネルのテレビジョン信号はミキサ５によって中間周波信号に周波数変換される。
【００１８】
同様に、ハイバンド受信部３は、図示のとおり、入力端１に結合されたハイバンド入力同調回路３ａと、その出力側に設けられたハイバンド増幅器３ｂと、その出力側に設けられたハイバンド段間同調回路３ｃとを有する。そして、ハイバンド受信部３は第２のスイッチダイオード７を介してミキサ５に結合される。
【００１９】
そして、ハイバンド入力同調回路３ａ及びハイバンド段間同調回路３ｃも単同調回路で構成され、ＶＨＦ帯におけるハイバンドの任意のチャンネルのテレビジョン信号に同調するためのバラクタダイオード（図示せず）を備えている。よって、ハイバンド受信部３によって選択／増幅されたハイバンドのチャンネルのテレビジョン信号はミキサ５によって中間周波信号に周波数変換される。
【００２０】
ローバンド増幅器２ｂとハイバンド増幅器３ｂとは同一の集積回路（図示せず）内に構成される。この集積回路内には、ローバンド増幅器２ｂとハイバンド増幅器３ｂとに印加するバイアス電圧を切り替えるためのバイアス切替回路８も構成される。バイアス切替回路８は第２のトランジスタ８ａ及びその周辺の抵抗を有する。すなわち、第２のトランジスタ８ａは、エミッタが接地され、コレクタは第１の抵抗８ｂを介して電源電圧Ｂにプルアップされる。また、ベースは第２の抵抗８ｃの介してローバンド増幅器２ｂの入力端に接続される。また、ハイバンド増幅器３ｂの入力端は直接又は第５の抵抗８ｄを介して第２のトランジスタ８ａのコレクタに接続されると共に、第３の抵抗８ｅを介してグランドに接続される。
【００２１】
ローバンド増幅器２ｂの出力端にはローバンド段間同調回路２ｃ内のコイルＬ２を介して電源電圧Ｂが供給される。同様に、ハイバンド増幅器３ｂの出力端にはハイバンド段間同調回路３ｃ内のコイルＬ３を介して電源電圧Ｂが供給される。
なお、ローバンド増幅器２ｂ及びハイバンド増幅器３ｂの各入力端は、内部の増幅素子の入力端子に接続され、各出力端が増幅素子の出力端子に接続されている。従って、入力端子にバイアス電圧が供給されると各増幅器２ｂ、３ｂが動作状態となる。
【００２２】
第１のスイッチダイオード４のカソード（一端）には電源電圧Ｂを抵抗９、１０によって分圧したバイアス電圧が印加され、第２のスイッチダイオード７のアノード（一端）にも電源電圧Ｂを抵抗１１、１２によって分圧したバイアス電圧が印加される。第１のスイッチダイオード４のアノード（他端）と第２のスイッチダイオード７のカソード（他端）とは相互に接続されて結合コンデンサ１８によってミキサ５に結合される。
【００２３】
第１のスイッチダイオード４と第２のスイッチダイオード７とは、第１のトランジスタ１３によってオン／オフが制御される。第１のトランジスタ１３はエミッタが接地され、コレクタが抵抗１４を介して電源電圧Ｂにプルアップされる。そして、コレクタは第１のインダクタンス素子１５を介して第１のスイッチダイオード４のアノードと第２のスイッチダイオード７のカソードとの接続点に接続される。また、コレクタには第２のインダクタンス素子１６の一端が接続され、その他端は直流カットコンデンサ１６によって高周波的に接地されると共に、第４の抵抗１７を介してローバンド増幅器２ｂの入力端に接続される。第１のトランジスタ１３のベースには切替電圧が印加される。
【００２４】
以上の構成において、ローバンドのテレビジョン信号を受信する時には、第１のトランジスタ１３がオフされる。すると、第１のスイッチダイオード４がオンし、第２のスイッチダイオード７がオフする。第１のスイッチダイオード４には十分な電流を流すことができるので抵抗成分を少なくできる。また、ローバンド増幅器２ｂの入力端には第４の抵抗１７と第２の抵抗８ｃとによってバイアス電圧が印加され、第２のトランジスタ８ａがオンする。よって、ハイバンド増幅器３ｂの入力端にはバイアス電圧が印加されない。従って、ローバンド受信部２からミキサ５にローバンドのテレビジョン信号が入力される。
【００２５】
このとき、第１のスイッチダイオード４のアノードと第２のスイッチダイオード７のカソードとは第１のインダクタンス素子１５および第２のインダクタンス素子１６との直列回路によってシャントされる。この直列回路はミキサ５内の入力容量性分と共に並列共振するピーキング回路を構成するので、その共振周波数がローバンドの所定の周波数（例えば、利得が低下している帯域側の周波数）となるように各インダクタンス素子１５、１６のインダクタンス値を設定すれば利得偏差を改善できる。
また、第１のインダクタンス素子１５と第２のインダクタンス素子１６とによる直列回路と結合コンデンサ１８とによってローパスフィルタが構成されるので、ローバンド受信部２から流入されるイメージ信号が抑圧されると共に局部発振信号のローバンド受信部２への漏洩も抑圧される。
【００２６】
一方、ハイバンドのテレビジョン信号を受信する時には、第１のトランジスタ１３がオンされる。すると、第１のスイッチダイオード４がオフし、第２のスイッチダイオード７がオンする。第２のスイッチダイオード７には十分な電流を流すことができるので抵抗成分を少なくできる。また、ローバンド増幅器２ｂの入力端にバイアス電圧が印加されず、第２のトランジスタ８ａがオフする。よって、ハイバンド増幅器３ｂの入力端には第１の抵抗８ａと第３の抵抗８ｅとによってバイアス電圧が印加される。従って、ハイバンド受信部３からミキサ５にローバンドのテレビジョン信号が入力される。
【００２７】
このとき、第１のスイッチダイオード４のアノードと第２のスイッチダイオード７のカソードとは第１のインダクタンス素子１５のみによってシャントされる。第１のインダクタンス素子１５はミキサ５内の入力容量性分と共に並列共振するピーキング回路を構成するので、その共振周波数がハイバンドの所定の周波数（例えば、利得が低下している帯域側の周波数）となるようにインダクタンス素子１５のインダクタンス値を設定すれば利得偏差を改善できる。
また、第１のインダクタンス素子１５と結合コンデンサ１８とによってローパスフィルタが構成されるので、イメージ信号と局部発振信号とを抑圧出来る。
【図面の簡単な説明】
【００２８】
【図１】本考案のテレビジョンチューナの構成を示す回路図である。
【図２】従来のテレビジョンチューナの構成を示す回路図である。
【符号の説明】
【００２９】
１：入力端
２：ローバンド受信部
２ａ：ローバンド入力同調回路
２ｂ：ローバンド増幅器
２ｃ：ローバンド段間同調回路
３：ハイバンド受信部
３ａ：ハイバンド入力同調回路
３ｃ：ハイバンド段間同調回路
４：第１のスイッチダイオード
５：ミキサ
６：発振器
７：第２のスイッチダイオード
８：バイアス切替回路
８ａ：第２のトランジスタ
８ｂ、第１の抵抗
８ｃ：第２の抵抗
８ｄ：第５の抵抗
８ｅ：第３の抵抗
９〜１２：抵抗
１３：第１のトランジスタ
１４：直流カットコンデンサ
１５：第１のインダクタンス素子
１６：第２のインダクタンス素子
１７：第４の抵抗
１８：結合コンデンサ
【図１】
0003106152.tif 000003
【図２】
0003106152.tif 000004